(57)【特許請求の範囲】
【請求項１】
苗載台を支持する植付フレームにおいて、植付フレームを横杆と縦杆によって正面視略門型に構成し、該横杆の左右中央部と植付センターケースの間を、左右の支持パイプと両支持パイプを連結する連結部材で構成したセンターフレームにより連結し、該センターフレームの上部を外方向に開く形状とすると共に、該センターフレームの上部と前記植付フレームの両側下部を緊張ロッドで連結したことを特徴とする田植機の植付フレーム。
【請求項２】
前記センターフレームの上部を左右方向に広く、下部を狭く、かつ、上部を前方に傾斜させて構成したことを特徴とする請求項１記載の田植機の植付フレーム。
【発明の詳細な説明】
【０００１】
【発明の属する技術分野】
本発明は、８条植えや１０条植え等の多条植えの乗用田植機機の苗載台を支持する植付フレームの構成に関する。
【０００２】
【従来の技術】
従来から、８条植え以上の多条植え型田植機においては、搬送や移動や格納する場合には、苗載台が左右横方向にはみ出し、苗載台が邪魔になることがあるので、苗載台やガイドレールを折り畳めるように構成した技術が公知となっている。
そして、このように苗載台が幅広くなると、その重量に合わせて植付フレームの剛性も高めるように構成している。例えば、特開平９−３２７２１７号の技術である。
この技術における植付フレームは、左右両側の支柱と該左右の支柱間を連結する連杆を組み付けて門型とし、この左右支柱の下部を植付チェーンケース上に立設して、該植付チェーンケースは連結パイプにより連結されて、四角形状に枠組み構成として剛性を高めていたのである。
【０００３】
【発明が解決しようとする課題】
しかし、従来の植付フレームでは植付部の自重により両側が下がってしまい、両側の植付深さが深くなり植付精度が低下してしまう。これを回避するために、センターケースよりセンターフレームを立設して連杆と連結し、この連結部と支柱下端をターンバックル式のリンクで対角線方向に連結し、該ターンバックルを締め上げることによって、両側を引き上げて撓みを調整できるようにしていたが、斜め方向に引っ張るために上下方向の分力が小さく大きな力が必要となっていた。また、支柱下端とセンターフレームが水平方向のアームで連結されていないと、強く締め付けると連杆の両側が下がることがあった。
【０００４】
【課題を解決するための手段】
本発明の解決しようとする課題は以上の如くであり、次に該課題を解決するための手段を説明する。即ち、苗載台を支持する植付フレームにおいて、植付フレームを横杆と縦杆によって正面視略門型に構成し、該横杆の左右中央部と植付センターケースの間を、左右の支持パイプと両支持パイプを連結する連結部材で構成したセンターフレームにより連結し、該センターフレームの上部を外方向に開く形状とすると共に、該センターフレームの上部と前記植付フレームの両側下部を緊張ロッドで連結したものである。
また、前記センターフレームの上部を左右方向に広く、下部を狭く、かつ、上部を前方に傾斜させて構成したものである。
【０００５】
【発明の実施の形態】
次に、本発明の実施の形態を説明する。
図１は本発明の植付フレームを備えた田植機の全体側面図、図２は分割苗載台を主苗載台上に収納した後面図、図３は植付部の側面図、図４は本発明の植付フレームの正面図、図５はセンターフレームの取付部の正面図、図６は同じく側面図である。
【０００６】
まず、本発明の植付フレームを８条の乗用田植機に適用した実施例について図１より全体構成から説明する。
乗用田植機Ａは走行部１の後部に昇降リンク機構２７を介して植付部４が配置され、該走行部１は車体フレーム３の前部上方にエンジン２を搭載し、前下部にフロントアクスルケースを介して前輪６を支持させると共に、後部にリヤアクスルケース７を介して後輪８を支持している。そして、前記エンジン２はボンネット９に覆われ、該ボンネット９の両側に予備苗載台１０・１０を配設し、該ボンネット９後部のダッシュボード５上に操向ハンドル１４を配置し、該ボンネット９両側とその後部の車体フレーム３上を車体カバー１２で覆い、操向ハンドル１４後方位置に座席１３を配置し、ボンネット９の両側と座席１３前部と、座席１３左右両側及び座席１３後方をステップとしている。
【０００７】
そして、前記運転席１３の側部には走行変速レバー３０や植付昇降兼作業走行変速用副変速レバー３１や植付感度調節レバーが配置され、ダッシュボード下部のステップ上には主クラッチペダル３２や左右ブレーキペダルが配設され、前記座席１３後方には８条用の施肥機３３が配設されている。
【０００８】
また、前記植付部４は図１、図３に示すように、苗載台１６や植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、該下ガイドレール１８及び上ガイドレール１９は植付センターケース２０より後述する植付フレーム２３等を介して支持されている。そして、植付センターケース２０より左右両側方へ連結パイプ２９を突設してチェーンケース２１を固設し、該チェーンケース２１・２１・・・を平行に後方へ突出して、該チェーンケース２１の後部に一方向に回転させるロータリーケース２２を配置し、該ロータリーケース２２の両側に一対の植付爪１７・１７を配置している。
こうして、前進走行とともに苗載台１６を左右に往復摺動して、この往復動に同期させて植付爪１７を駆動して一株分の苗を切り出し、連続的に植え付け作業を行うように構成している。
【０００９】
また、前記植付センターケース２０の前部にローリング支点軸を介して前記昇降リンク機構２７と連結され、該昇降リンク機構２７はトップリンク２５やロワーリンク２６等より構成され、座席１３下方に配置した昇降シリンダ２８によって植付部４を昇降できるようにしている。
【００１０】
そして、前記苗載台１６は、図２に示すように、進行方向右外側の二条分の苗載台を分割して分割苗載台１６Ｄとし、機体中央側の固定された六条分の苗載台を主苗載台１６Ｍとしており、前記分割苗載台１６Ｄを着脱可能に構成して、該分割苗載台１６Ｄを取り外して主苗載台１６Ｍの後部上に載置して係合し、収納可能に構成している。なお、延長した下ガイドレールは前方へ回動して収納できるようにしており、サイドバンパーは内側へ摺動して収納できるようにしている。
【００１１】
次に本発明の苗載台１６を支持するフレームの構成について説明する。
図３乃至図６に示すように、植付フレーム２３は左右水平方向に配置する横杆２３ａと、該横杆２３ａの左右両側に連結して上下方向に配置する縦杆２３ｂ・２３ｂよりなり、正面視略門型に構成されている。該縦杆２３ｂ・２３ｂの上部と該横杆２３ａの中途部より立設したステー２３ｄ・２３ｄ上に前記上ガイドレール１９を嵌合して支持するシュー２４・２４・・・が配置されている。
【００１２】
また、前記縦杆２３ｂ・２３ｂの下部は両側のチェーンケース２１・２１、または、チェーンケース２１・２１を連結する連結パイプ２９に固設されている。前記横杆２３ａの左右中央部の下部には略三角形状の取付プレート２３ｃ・２３ｃが固設され、該取付プレート２３ｃ・２３ｃにセンターフレーム６１の上端が固設されている。
【００１３】
該センターフレーム６１は正面視逆「ハ」字状に配置した支持パイプ６１ａ・６１ａと、該支持パイプ６１ａ・６１ａの下部を左右水平方向に連結する連結プレート６１ｂからなり、該支持パイプ６１ａは正面視及び側面視において「く」字状に曲げられ、その上端は前記植付フレーム２３に設けた取付プレート２３ｃにボルト等によって固定される。
【００１４】
このように支持パイプ６１ａ・６１ａを正面視及び側面視において「く」字状に構成することによって、支持パイプ６１ａと支持パイプ６１ａの間の上部空間と、該支持パイプ６１ａ・６１ａの上部と苗載台１６の間の空間を大きくすることが可能となり、前記施肥機３３より植付位置の側方まで延出される施肥ホース６２の中途部を、図４、図６に示すように、この空間に通してガイドし、この通過させるときの施肥ホース６２は曲率半径を大きくすることが可能となり、折れ曲がらず、肥料を搬送するときに詰まりが生じ難くなるのである。
【００１５】
また、前記連結プレート６１ｂの下部は前記植付センターケース２０の上面及び前面にかけて固定した取付ブラケット６３に固設され、該植付センターケース２０の下部両側より連結パイプ２９・２９が側方に突設されて、前記植付フレーム２３とによって四角形状に連結固定して、この四角形の左右中途部をセンターフレーム６１と取付ブラケット６３と植付センターケース２０によって縦方向に連結して強度アップを図っている。
【００１６】
そして更に、前記取付プレート２３ｃ・２３ｃと縦杆２３ｂ・２３ｂ下部との間の対角線方向には、ターンバックル式の緊張ロッド６４・６４を配置して、ターンバックルを回動して締め付け、両側を引っ張り上げることを可能としている。但し、前記緊張ロッド６４の一端の取付部は取付プレート２３ｃの代わりに、横杆２３ａや支持パイプ６１ａの上部であっても構わない。また、緊張ロッド６４の他端の取付位置は縦杆２３ｂの下部の代わりに、その近傍の最外側に位置するチェーンケース２１や連結パイプ２９であっても構わない。
【００１７】
このように構成することによって、緊張ロッド６４とセンターフレーム６１は正面視において略Ｍ状に配設されることになり、該緊張ロッド６４のターンバックルを回動して締め付けたときの引っ張り方向の力は、支持パイプ６１ａの上端部において略直角方向となり、両側のチェーンケース２１を上方へ持ち上げる力が働くようになり、この上方への持ち上げ力は、緊張ロッド６４の上側の連結転が左右中心よりも左右両側方へ移動するので、緊張ロッド６４の角度は大きくなり持ち上げ方向の分力も増大させることができる。更に、緊張ロッド６４の長さも短くできてコスト削減も図れ、重量の軽減も図れるのである。
【００１８】
【発明の効果】
本発明は以上の如く構成したので、次のような効果を奏するのである。即ち、請求項１の如く、苗載台を支持する植付フレームにおいて、植付フレームを横杆と縦杆によって正面視略門型に構成し、該横杆の左右中央部と植付センターケースの間を、左右の支持パイプと両支持パイプを連結する連結部材で構成したセンターフレームにより連結し、該センターフレームの上部を外方向に開く形状とすると共に、該センターフレームの上部と前記植付フレームの両側下部を緊張ロッドで連結したので、従来のようにセンターフレームを垂直方向に配置した場合と比較して、緊張ロッドの水平方向に対する角度を大きくすることができて、左右両側の植付部を上方へ引っ張り上げる分力を大きくすることが可能となり、両側の植付フレームを小さな力で持ち上げることが可能となり、安定して水平を保てることとなり、植付精度を向上することができる。
また、緊張ロッドの長さを短くすることが可能とてり、コスト低減化も図れる。
【００１９】
また、請求項２記載の如く、前記センターフレームの上部を左右方向に広く、下部を狭く、かつ、上部を前方に傾斜させて構成したので、センターフレームの上部に左右方向の空間、および、センターフレームと苗載台との間の空間を大きくすることが可能となり、この空間に施肥機の施肥ホースを通してガイドすることが可能となり、狭い空間を有効に利用でき、更に、この空間を通過する施肥ホースの曲率半径を大きくすることができ、このガイド部分での詰まりも防止することができる。
【図面の簡単な説明】
【図１】本発明の植付フレームを備えた田植機の全体側面図である。
【図２】分割苗載台を主苗載台上に収納した後面図である。
【図３】植付部の側面図である。
【図４】本発明の植付フレームの正面図である。
【図５】センターフレームの取付部の正面図である。
【図６】同じく側面図である。
【符号の説明】
２０  植付センターケース
２３  植付フレーム
２３ａ  横杆
２３ｂ  縦杆
６１  センターフレーム
６１ａ  支持パイプ
６１ｂ  連結部材
６４  緊張ロッド
【図１】
0003930659.tif 000002
【図２】
0003930659.tif 000003
【図３】
0003930659.tif 000004
【図４】
0003930659.tif 000005
【図５】
0003930659.tif 000006
【図６】
0003930659.tif 000007